(57)【要約】【課題】  回路規模を増大させることなく、インバータ蛍光灯の影響による誤動作やＳＮ比の劣化を効果的に軽減できる受光装置および電子機器を実現する。【解決手段】  本発明の受光装置１１は、第１受光部としてのＰＤ１および第２受光部としてのＰＤ２を設け、ＰＤ１の出力からＰＤ２の出力を減算する回路構成とし、ＰＤ１に帯域通過型光学フィルタを設ける一方、ＰＤ２に帯域遮断型光学フィルタを設ける。このように、光学フィルタを、受光素子（フォトダイオード）表面に光学薄膜として形成することで、従来からの集積回路（ＩＣ）製造プロセスで光学薄膜を容易に形成することができる。【選択図】  図１
2006148572.tif 000002
【特許請求の範囲】
【請求項１】
光の通信信号を受光部にて受信する受光装置において、
通信で使用する波長域に分光感度のピークを持つ第１受光部と、
通信で使用する波長域に分光感度を持たない以外は分光感度特性が上記第２受光部と同一若しくは近似の第２受光部と、
上記第１受光部の検出出力と上記第２受光部の検出出力とを減算処理する減算部とを備えたことを特徴とする受光装置。
【請求項２】
上記第２受光部は、受光素子に、通信で使用する波長域を遮断する帯域遮断型光学フィルタを付けてなることを特徴とする請求項１に記載の受光装置。
【請求項３】
上記第１受光部は、受光素子に、通信で使用する波長域を透過する帯域通過型光学フィルタを付けてなることを特徴とする請求項２に記載の受光装置。
【請求項４】
通信で使用する光の波長をλとするとき、上記帯域遮断型光学フィルタは、光路長をλ／２の奇数倍とした光学薄膜で形成されていることを特徴とする請求項２に記載の受光装置。
【請求項５】
通信で使用する光の波長をλとするとき、上記帯域通過型光学フィルタは、光路長をλ／２の偶数倍とした光学薄膜で形成されていることを特徴とする請求項３に記載の受光装置。
【請求項６】
上記光学薄膜が複数層積層されていることを特徴とする請求項４または５に記載の受光装置。
【請求項７】
上記光学薄膜がシリコン窒化膜で形成されていることを特徴とする請求項４または５に記載の受光装置。
【請求項８】
上記光学薄膜がポリシリコン膜で形成されていることを特徴とする請求項４または５に記載の受光装置。
【請求項９】
複数の上記第１受光部と複数の上記第２受光部とが点対称に配置されていることを特徴とする請求項１に記載の受光装置。
【請求項１０】
受光装置を備えた電子機器において、
請求項１ないし９のいずれかに記載の受光装置を備えたことを特徴とする電子機器。
【発明の詳細な説明】
【技術分野】
【０００１】
本発明は、光空間伝送用の受光装置、および、それを用いた、赤外線リモコン受信機などの電子機器に関するものである。
【背景技術】
【０００２】
赤外線リモコン受信機の送信信号は、一般的に３０ｋＨｚ〜６０ｋＨｚ程度の決められたキャリアで変調されたＡＳＫ（Ａｍｐｌｉｔｕｄｅ  Ｓｈｉｆｔ  Ｋｅｙｉｎｇ）信号であり、受信チップでは入力された光電流信号をアンプで増幅し、キャリアの周波数にあわせたバンドパスフィルタ（ＢＰＦ）でキャリア成分を取り出し、検波回路でキャリアを検出し、積分回路でキャリアのある時間を積分し、ヒステリシスコンパレータでキャリアの有無を判別してディジタル出力する。
【０００３】
また、家庭用インバータ蛍光灯には３０ｋＨｚ〜６０ｋＨｚのキャリア成分が存在するため、赤外線リモコン受信機の周囲にインバータ蛍光灯が存在する場合、インバータ蛍光灯ノイズ成分を検出し誤動作したり、最悪の場合、送信信号を正確に受信できないといった問題がある。一般的に赤外線リモコン受信機の出力はマイコンの割り込みポートに入力されるため、インバータ蛍光灯による誤動作が発生している状況ではマイコンはスリープ（省エネ）モードとならないため問題である。
【０００４】
ここでインバータ蛍光灯の波長は可視域５００ｎｍ〜赤外１０００ｎｍ付近にピークがあり、赤外線リモコンの送信信号は９４０ｎｍ付近を使用している。したがって、波長選択型光学フィルタにより分光感度特性を向上しＳＮ比を高めることは有効である。しかし、波長選択型光学フィルタは一般に高価であり、赤外線リモコン受信機等の安価な機器には好適ではない。
【０００５】
ここでは、上記の要求を満足するための効果的な受光方式、回路方式について述べる。
【０００６】
図１２に、従来例１として、赤外線リモコン受信機の一例を示す。すなわち、受光回路部１０１は、ＰＤ１と、信号処理回路としてのＩＣ（integrated circuit）２３とからなる。ＨＡ４１、Ｄ＿ＨＡ４２、２ｎｄＡｍｐ４３はそれぞれ第１ないし第３アンプ１５〜１７に相当する。ＡＧＣ（auto gain control）回路４７に制御される２ｎｄＡｍｐ４３の出力が３ｒｄＡｍｐ４４に入力され、ｆｏトリミング回路４６の制御下ＢＰＦ４５に入力され、キャリア検出回路４８、積分回路４９、ヒステリシスコンパレータ５０を経て出力されるようになっている。
【０００７】
ここでＰＤ１（フォトダイオード）の分光感度特性は９４０ｎｍ付近をピークとし、特別な波長選択型光学フィルタ等は使用されていない。
【０００８】
この場合、インバータ蛍光灯ノイズによる誤動作や送信信号を正確に受信できないといった問題がある。集積回路にＢＰＦを内蔵しインバータ蛍光灯ノイズを低減しているが十分ではない。
【０００９】
図１３に、従来例２として、特開平８−３３０６２１号公報に記載の構成を示す。フォトトランジスタＰＴ１・ＰＴ２を用い、ＰＴ１には光学フィルタ１２４を付けている。そして、光学フィルタを用い分光感度の差を検出することで特定波長の光を検出している。
【００１０】
この方式の場合、受光素子の感度のピーク波長と検出する信号の波長が合っていないため、検出感度が著しく低下する。また、光学フィルタは高価であるため、安価なシステムには容易に用いることはできない。
【００１１】
図１４に、従来例３として、特開平７−３８５０１号公報に記載の構成における分光感度特性を示す。図中、Ａはフォトダイオードの分光感度特性であり、Ｂは可視光カットフィルタの分光感度特性である。可視光カットフィルタを用いることで、インバータ蛍光灯ノイズを低減しＳＮ比（信号対ノイズ比）を向上している。
【００１２】
この場合も、光学フィルタは高価であるため、安価なシステムには容易に用いることはできない。
【００１３】
図１５に、従来例４として、特開平９−４６７７２号公報に記載の構成を示す。分光感度の異なるフォトダイオードＰＤａ・ＰＤｂを用いて特定波長の信号を検出し、減算回路１４１にて減算し、電流圧縮回路１４２から出力している。一方のフォトダイオードＰＤａは特定波長に対し分光感度が高く、他方のフォトダイオードＰＤｂはこの特定波長より広い波長域にわたる分光感度を持つ。
【００１４】
この場合、減算する側の受光素子が特定波長に対して感度を持っているため、減算することで信号成分の感度も低下する。
【００１５】
図１６に、従来例５として、特開平５−２６０５７３号公報に記載の構成を示す。フォトダイオードＰＤｃは信号波長に対し分光感度を持ち、フォトダイオードＰＤｄは信号波長より離れた波長に分光感度を持つ。これらの出力をＢＰＦ１５１・１５３、検波回路１５２・１５４の２系統でそれぞれ処理し、減算処理回路１５６にて減算して出力する。異なる波長の光に感度を持つ受光素子を利用し、インバータ蛍光灯ノイズを低減しＳＮ比を向上するとしている。
【００１６】
この場合、減算する側にもＢＰＦが必要となり、回路規模が増大するといった問題がある。
【特許文献１】特開平８−３３０６２１号公報（公開日平成８年１２月１３日）
【特許文献２】特開平７−３８５０１号公報（公開日平成７年２月７日）
【特許文献３】特開平９−４６７７２号公報（公開日平成９年２月１４日）
【特許文献４】特開平５−２６０５７３号公報（公開日平成５年１０月８日）
【発明の開示】
【発明が解決しようとする課題】
【００１７】
上記のように、従来の構成では、インバータ蛍光灯の影響による誤動作、ＳＮ比の劣化の問題や、回路規模の増大といった問題がある。
【００１８】
本発明は、上記の問題点に鑑みてなされたものであり、その目的は、回路規模を増大させることなく、インバータ蛍光灯の影響による誤動作やＳＮ比の劣化を効果的に軽減できる受光装置および電子機器を実現することにある。
【課題を解決するための手段】
【００１９】
上記の課題を解決するため、本発明に係る受光装置は、光の通信信号を受光部にて受信する受光装置において、通信で使用する波長域に分光感度のピークを持つ第１受光部と、通信で使用する波長域に分光感度を持たない以外は分光感度特性が上記第２受光部と同一若しくは近似の第２受光部と、上記第１受光部の検出出力と上記第２受光部の検出出力とを減算処理する減算部とを備えたことを特徴としている。
【００２０】
上記の構成により、赤外線通信等の光通信で使用する波長域では、第２受光部側の分光感度特性の値が第１受光部側の分光感度特性の値より非常に小さいので、上記減算処理において、第１受光部側の値が大きく残る。一方、それ以外の波長域では、第１受光部側の値と第２受光部側の値とが等しいかほぼ等しいので、上記減算処理において、残りはゼロかわずかとなる。すなわち、通信で使用する波長域では信号が大きく、それ以外の波長域では信号が小さい。
【００２１】
その結果、インバータ蛍光灯の影響による誤動作やＳＮ比の劣化を効果的に軽減することができる。
【００２２】
また、２系統の両方にＢＰＦが必要となることがないので、回路規模が増大することがない。
【００２３】
したがって、回路規模を増大させることなく、インバータ蛍光灯の影響による誤動作やＳＮ比の劣化を効果的に軽減することができるという効果を奏する。
【００２４】
また、本発明に係る受光装置は、上記の構成に加えて、上記第２受光部は、上記第１受光部に、通信で使用する波長域の透過を遮断する帯域遮断型光学フィルタを付けてなることを特徴としている。
【００２５】
上記の構成により、上記第２受光部は、受光素子に、通信で使用する波長域を遮断する帯域遮断型光学フィルタを付けることで得ることができる。したがって、上記の構成による効果に加えて、上記第２受光部の構成を安価に得ることができるという効果を奏する。
【００２６】
また、本発明に係る受光装置は、上記の構成に加えて、上記第１受光部は、受光素子に、通信で使用する波長域を透過する帯域通過型光学フィルタを付けてなることを特徴としている。
【００２７】
上記の構成により、上記第１受光部は、受光素子に、通信で使用する波長域を透過する帯域通過型光学フィルタを付けることで得ることができる。したがって、上記の構成による効果に加えて、上記第１受光部の構成を安価に得ることができるという効果を奏する。
【００２８】
また、本発明に係る受光装置は、上記の構成に加えて、通信で使用する光の波長をλとするとき、上記帯域遮断型光学フィルタは、光路長をλ／２の奇数倍とした光学薄膜で形成されていることを特徴としている。
【００２９】
上記の構成により、上記帯域遮断型光学フィルタは、光路長をλ／２の奇数倍とした光学薄膜で形成されている。したがって、上記の構成による効果に加えて、簡単な構成で帯域遮断型光学フィルタを形成することができるという効果を奏する。
【００３０】
また、本発明に係る受光装置は、上記の構成に加えて、通信で使用する光の波長をλとするとき、上記帯域通過型光学フィルタは、光路長をλ／２の偶数倍とした光学薄膜で形成されていることを特徴としている。
【００３１】
上記の構成により、上記帯域通過型光学フィルタは、光路長をλ／２の偶数倍とした光学薄膜で形成されている。したがって、上記の構成による効果に加えて、簡単な構成で帯域遮断型光学フィルタを形成することができるという効果を奏する。
【００３２】
また、本発明に係る受光装置は、上記の構成に加えて、上記光学薄膜が複数層積層されていることを特徴としている。
【００３３】
上記の構成により、上記光学薄膜が複数層積層されている。したがって、上記の構成による効果に加えて、波長ごとに種々の通過・遮断特定を持った光学フィルタを容易に形成することができるという効果を奏する。
【００３４】
また、本発明に係る受光装置は、上記の構成に加えて、上記光学薄膜がシリコン窒化膜で形成されていることを特徴としている。
【００３５】
上記の構成により、上記光学薄膜がシリコン窒化膜で形成されている。したがって、上記の構成による効果に加えて、一般的な集積回路の製造プロセスを利用でき、安価に光学フィルタを形成することができるという効果を奏する。
【００３６】
また、本発明に係る受光装置は、上記の構成に加えて、上記光学薄膜がポリシリコン膜で形成されていることを特徴としている。
【００３７】
上記の構成により、上記光学薄膜がポリシリコン膜で形成されている。したがって、上記の構成による効果に加えて、一般的な集積回路の製造プロセスを利用でき、安価に光学フィルタを形成することができるという効果を奏する。
【００３８】
また、本発明に係る受光装置は、上記の構成に加えて、複数の上記第１受光部と複数の上記第２受光部とが点対称に配置されていることを特徴としている。
【００３９】
上記の構成により、複数の上記第１受光部と複数の上記第２受光部とが点対称に配置されている。したがって、上記の構成による効果に加えて、信号光、ノイズ光が第１受光部・第２受光部に均一に入射するため、一層効果的にノイズ光の成分を除去することができるという効果を奏する。
【００４０】
また、本発明に係る電子機器は、受光装置を備えた電子機器において、上記いずれかの受光装置を備えたことを特徴としている。
【００４１】
上記の構成により、電子機器は、上記いずれかの受光装置を備えている。したがって、赤外線通信等の光通信で使用する波長域では、第２受光部側の分光感度特性の値が第１受光部側の分光感度特性の値より非常に小さいので、上記減算処理において、第１受光部側の値が大きく残る。一方、それ以外の波長域では、第１受光部側の値と第２受光部側の値とが等しいかほぼ等しいので、上記減算処理において、残りはゼロかわずかとなる。すなわち、通信で使用する波長域では信号が大きく、それ以外の波長域では信号が小さい。
【００４２】
その結果、インバータ蛍光灯の影響による誤動作やＳＮ比の劣化を効果的に軽減することができる。
【００４３】
また、２系統の両方にＢＰＦが必要となることがないので、回路規模が増大することがない。
【００４４】
したがって、回路規模を増大させることなく、インバータ蛍光灯の影響による誤動作やＳＮ比の劣化を効果的に軽減することができるという効果を奏する。
【発明の効果】
【００４５】
以上のように、本発明に係る受光装置は、通信で使用する波長域に分光感度のピークを持つ第１受光部と、通信で使用する波長域に分光感度を持たない以外は分光感度特性が上記第２受光部と同一若しくは近似の第２受光部と、上記第１受光部の検出出力と上記第２受光部の検出出力とを減算処理する減算部とを備えた構成である。
【００４６】
また、本発明に係る電子機器は、上記いずれかの受光装置を備えた構成である。
【００４７】
これにより、回路規模を増大させることなく、インバータ蛍光灯の影響による誤動作やＳＮ比の劣化を効果的に軽減することができるという効果を奏する。
【発明を実施するための最良の形態】
【００４８】
図１に受光装置の回路構成を示す。また、図２に実際の回路図を示す。フォトダイオードである受光素子ＰＤ１またはＰＤ１と後述の光学フィルタとで、第１受光部が形成されている。また、フォトダイオードである受光素子ＰＤ２と後述の光学フィルタとで、第２受光部が形成されている。受光装置１１は、受光素子ＰＤ１で送信信号を受光して第１アンプ１５（ａｍｐ１）で増幅し、第３アンプ（ａｍｐ３）の＋（プラス）側に入力される。
【００４９】
受光素子ＰＤ２では、送信信号の光を遮断したノイズ成分を受光し、ａｍｐ２で同様に増幅し、ａｍｐ３の−（マイナス）側に入力される。ａｍｐ３でＶ（ＰＤ１）からＶ（ＰＤ２）を減算することにより、ノイズ成分を効果的に除去することが可能である。
【００５０】
受光素子の分光感度を調整することでノイズ成分を効果的に除去可能である。
【００５１】
図３に本実施形態の赤外線リモコン受信機（電子機器）の要部の一例を示す。すなわち、受光回路部３１は、ＰＤ１、ＰＤ２と、信号処理回路としてのＩＣ（integrated circuit）２３とからなる。ＨＡ４１、Ｄ＿ＨＡ４２、２ｎｄＡｍｐ４３はそれぞれ第１ないし第３アンプ１５〜１７に相当する。ＡＧＣ（auto gain control）回路４７に制御される２ｎｄＡｍｐ４３の出力が３ｒｄＡｍｐ４４に入力され、ｆｏトリミング回路４６の制御下ＢＰＦ４５に入力され、キャリア検出回路４８、積分回路４９、ヒステリシスコンパレータ５０を経て出力されるようになっている。
【００５２】
また、図４に、赤外線リモコン受信機のモジュールの一例を示す。赤外線リモコン受信機２１では、アルミフレーム２７上にＰＤ部２２および上記ＩＣ２３をマウントし、Ａｕワイヤ（金線）２６にワイヤボンディングを行い、各素子を電気的に接続する。その後、樹脂パッケージ（赤外線透過樹脂）２５により封止する。このとき、ＰＤ部２２上部には、上記樹脂パッケージ２５によりレンズ形状部２５ａを形成するため、ＰＤ部２２の中心部に集光することが可能となる。
【００５３】
また、後述の４つのＰＤがある構成では、上述のように集光する結果、点対称の中心に入射光の中心が当たるようになる。
【００５４】
〔光学フィルタについて〕
図７に示すように、ＰＤ部２２（ＰＤ２および／またはＰＤ１）には、ＰＤ表面上に形成された光学薄膜２４からなる光学フィルタが付けられている。光学フィルタとしては、状況に応じ、帯域遮断型光学フィルタまたは帯域通過型光学フィルタを使用する。ここで、
ｎ０：媒質０の屈折率（空気の場合≒１）、
ｎ０：媒質１の屈折率、
ｄ：光学薄膜２４の膜厚、
λ：送信信号の波長、
ｍ：整数０、１、２、３・・・・とし、信号光は受光面に対して垂直に入射したと仮定して、光学薄膜２４の干渉により、
光路長がλ／２の奇数倍の時
［２×（ｎ１／ｎ０）×ｄ＝λ／２×（２ｍ＋１）］：反射（帯域遮断型光学フィルタ）
光路長がλ／２の偶数倍の時
［２×（ｎ１／ｎ０）×ｄ＝λ／２×（２ｍ）］：吸収（帯域通過型光学フィルタ）
といった現象が起きる。したがって、送信信号の波長に対し光学薄膜２４の膜厚を調整することで任意の光学フィルタを形成できる。
【００５５】
このようにして、第１受光部は、受光素子に、通信で使用する波長域を透過する帯域透過型光学フィルタを付けることで得ることができ、第２受光部は、受光素子に、通信で使用する波長域を遮断する帯域遮断型光学フィルタを付けることで得ることができる。
【００５６】
ＰＤ１には光学フィルタを付けず、ＰＤ２には帯域遮断型光学フィルタを付けた場合の分光感度特性の例を図５に示す。また、ＰＤ１には帯域通過型光学フィルタを付け、ＰＤ２には帯域遮断型光学フィルタを付けた場合の分光感度特性の例を図６に示す。分光感度特性が大きいとは、出力、すなわち光の透過（通過）量が多いということである。なお、図５・図６は、ともに、すべて透過した場合の出力を１００％とした相対値である。
【００５７】
赤外線通信等の光通信で使用する波長域では、ＰＤ２側の分光感度特性の値がＰＤ１側の分光感度特性の値より非常に小さいので、上記減算処理において、ＰＤ１側の値が大きく残る。一方、それ以外の波長域では、ＰＤ１側の値とＰＤ２側の値とが等しいかほぼ等しいので、上記減算処理において、残りはゼロかわずかとなる。すなわち、通信で使用する波長域では信号が大きく、それ以外の波長域では信号が小さい。その結果、インバータ蛍光灯の影響による誤動作やＳＮ比の劣化を効果的に軽減することができる。
【００５８】
このとき、集積回路の製造プロセスでは、容量形成の際にシリコン窒化膜、ポリシリコン膜を用いるのは一般的であり、上記光学薄膜２４も同様のプロセスで形成できるため、安価に光学フィルタを形成できる。
【００５９】
以上のように、本実施形態では、第１受光部および第２受光部を設け、第１受光部の出力から第２受光部の出力を減算する回路構成とし、第１受光部は受光素子に帯域通過型光学フィルタを設けることで形成し、第２受光部は受光素子に帯域遮断型光学フィルタを設けることで形成する。このように、光学フィルタを、受光素子（フォトダイオード）表面に光学薄膜として形成することで、従来からの集積回路（ＩＣ）製造プロセスで光学薄膜を容易に形成することができる。
【００６０】
また、光学薄膜を多層にする（屈折率の異なる媒質を多層に積み上げる）ことで、反射率または吸収率を上げ、分光感度特性を向上することが可能である。図８に多層構造の一例を示す。
【００６１】
多層薄膜では、各層毎に、干渉条件が必要となる。ここでは、光学薄膜２４を、ＰＤ部２２から遠い順に、１層目（第１薄膜２４ａ）、２層目（第２薄膜２４ｂ）、２層目（第３薄膜２４ｃ）、…、ｉ層目（第ｉ薄膜）（ｉは１以上の整数）、…のように番号を付ける。図８は３層構造の例である。
【００６２】
１層目では、
ｎ０：媒質０の屈折率（空気の場合≒１）、
ｎ１：媒質１の屈折率、
ｄ１：光学薄膜の膜厚、
λ：送信信号の波長、
ｍ１：整数０、１、２、３・・・・とすると、
光路長がλ／２の奇数倍の時
［２×（ｎ１／ｎ０）×ｄ１＝λ／２×（２ｍ１＋１）］：反射（帯域遮断型光学フィルタ）
光路長がλ／２の偶数倍の時
［２×（ｎ１／ｎ０）×ｄ１＝λ／２×（２ｍ１）］：吸収（帯域通過型光学フィルタ）
となる。
【００６３】
２層目では、
ｎ１：媒質１の屈折率（空気の場合≒１）、
ｎ２：媒質２の屈折率、
ｄ２：光学薄膜の膜厚、
λ：送信信号の波長、
ｍ２：整数０、１、２、３・・・・とすると、
光路長がλ／２の奇数倍の時
［２×（ｎ２／ｎ１）×ｄ２＝λ／２×（２ｍ２＋１）］：反射（帯域遮断型光学フィルタ）
光路長がλ／２の偶数倍の時
［２×（ｎ２／ｎ１）×ｄ２＝λ／２×（２ｍ２）］：吸収（帯域通過型光学フィルタ）
となる。
【００６４】
３層目では、
ｎ２：媒質２の屈折率（空気の場合≒１）、
ｎ３：媒質３の屈折率、
ｄ３：光学薄膜の膜厚、
λ：送信信号の波長、
ｍ３：整数０、１、２、３・・・・とすると、
光路長がλ／２の奇数倍の時
［２×（ｎ３／ｎ２）×ｄ３＝λ／２×（２ｍ３＋１）］：反射（帯域遮断型光学フィルタ）
光路長がλ／２の偶数倍の時
［２×（ｎ３／ｎ２）×ｄ３＝λ／２×（２ｍ３）］：吸収（帯域通過型光学フィルタ）
となる。
【００６５】
一般に、ｉ層目では、
ｎ（ｉ−１）：媒質（ｉ−１）の屈折率（空気の場合≒１）、
ｎｉ：媒質ｉの屈折率、
ｄｉ：光学薄膜の膜厚、
λ：送信信号の波長、
ｍｉ：整数０、１、２、３・・・・とすると、
光路長がλ／２の奇数倍の時
［２×（ｎｉ／ｎ（ｉ−１））×ｄｉ＝λ／２×（２ｍｉ＋１）］：反射（帯域遮断型光学フィルタ）
光路長がλ／２の偶数倍の時
［２×（ｎｉ／ｎ（ｉ−１））×ｄｉ＝λ／２×（２ｍｉ）］：吸収（帯域通過型光学フィルタ）
となる。例えば、全層を反射（遮断）層としたり、全層を吸収（透過）層としたり、層ごとに適宜反射層・吸収層に設定したりといった調整が可能であり、全体として反射率または吸収率を好適に上げる（または下げる）ことができる。
【００６６】
〔ＰＤの配置について〕
図９に示すように、第１および第２の受光素子を近接に点対称に配置する。なお、これらのＰＤ１、ＰＤ２はボンディング用パッド２２ａにて他の素子と接続される。
【００６７】
図１０（ａ）は、レンズのスポット５５が点対称の中心からずれていない状態であり、図１０（ｂ）は、レンズのスポット５５が点対称の中心からずれている状態である。ＰＤ１、ＰＤ２を点対称に配置することにより、レンズのスポットがずれた位置から照射された状態でも、ＰＤ１、ＰＤ２に照射する面積を一定に保つことができる。すなわち、２つのＰＤ１で照射された面積の合計が、図１０（ａ）と図１０（ｂ）とで等しく、また、２つのＰＤ２で照射された面積の合計が、図１０（ａ）と図１０（ｂ）とで等しい。それゆえ、出力電流が安定する。図９の２つのＰＤ１、２つのＰＤ２の接続の様子を図１１に示す。受光装置１２においては、２つのＰＤ１が並列に接続され、２つのＰＤ２が並列に接続されている。それ以外は図１の構成と同じである。
【００６８】
このような点対称の配置にすることで、信号光、ノイズ光が第１および第２の受光素子に均一に入射するため、後段のａｍｐ３回路により一層効果的にノイズ光の成分を除去できる。すなわち、ＰＤ１、ＰＤ２を近接に配置することにより、信号光およびノイズ光のＰＤへの照射が等しくなるという利点がある。
【００６９】
以上説明したように、本発明で以下の効果を得る。
（１）第１受光部および第２受光部を設け、第１の受光素子の出力から第２の受光素子の出力を減算する回路構成とすることで、小さい回路規模でノイズ成分を効果的に除去可能である。
（２）上記（１）において受光素子の分光感度特性を調整することで、ノイズ成分を効果的に除去可能である。
（３）受光素子表面に光学薄膜を形成することで帯域遮断型光学フィルタ、帯域通過型光学フィルタを簡単に形成できる。
（４）上記（３）において光学薄膜を多層にすることで反射率または吸収率を上げ、分光感度特性を急峻にすることが可能である。
（５）上記（３）・（４）において、光学薄膜をＳｉＮ、Ｐｏｌｙ−Ｓｉで形成することで集積回路製造プロセスで形成できるため、安価に製造できる。
（６）第１受光部および第２受光部を近接に点対称に配置することで、信号光、ノイズ光が第１受光部および第２受光部に均一に入射するため、後段の増幅器により一層効果的にノイズ光の成分を除去できる。
（７）赤外線リモコン受信機に用いることで、インバータ蛍光灯による誤動作の低減およびＳＮ比の向上が可能である。
【００７０】
なお、ここでは電子機器として赤外線リモコン受信機を示したが、これに限定されず、赤外線等の光通信において光信号を受信する装置を有するものであれば適用可能である。
【００７１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７２】
なお、本発明に係る受光装置は、分光感度特性が同一若しくは近似の第１および第２の受光部と、前記両受光部の検出出力を入力して減算処理する減算部とを備えた受光装置であって、前記第２の受光部は、第１の受光部の分光感度特性のピーク領域に感度を持たないように構成してもよい。
【００７３】
また、本発明に係る受光装置は、上記構成において、前記第２の受光部は、受光素子の表面に帯域遮断型光学フィルタを設けてなるように構成してもよい。
【００７４】
また、本発明に係る受光装置は、上記構成において、前記第１の受光部は、受光素子の表面に帯域通過型光学フィルタを設けてなり、前記第２の受光部は、受光素子の表面に帯域遮断型光学フィルタを設けてなるように構成してもよい。
【００７５】
また、本発明に係る受光装置は、上記構成において、前記帯域遮断型光学フィルタは光路長をλ／２（λ：光の波長）の奇数倍とした光学薄膜で形成するように構成してもよい。
【００７６】
また、本発明に係る受光装置は、上記構成において、前記帯域通過型光学フィルタは光路長をλ／２（λ：光の波長）の偶数倍とした光学薄膜で形成し、前記帯域遮断型光学フィルタは光路長をλ／２（λ：光の波長）の奇数倍とした光学薄膜で形成するように構成してもよい。
【００７７】
また、本発明に係る受光装置は、上記構成において、光学薄膜を多層にするように構成してもよい。
【００７８】
また、本発明に係る受光装置は、上記構成において、光学薄膜をシリコン窒化膜で形成するように構成してもよい。
【００７９】
また、本発明に係る受光装置は、上記構成において、光学薄膜をポリシリコン膜で形成するように構成してもよい。
【００８０】
また、本発明に係る受光装置は、上記構成において、前記第１および第２の受光部を点対称に配置した分割受光素子とするように構成してもよい。
【００８１】
また、本発明に係る電子機器は、上記のいずれか一つに記載の受光装置を用いたように構成してもよい。
【産業上の利用可能性】
【００８２】
本発明は、光空間伝送用の受光装置を備えた、赤外線リモコン受信機などの電子機器等のような用途にも適用できる。
【図面の簡単な説明】
【００８３】
【図１】本発明に係る受光装置の一構成例を示す回路図である。
【図２】本発明に係る受光装置の一構成例を示す回路図である。
【図３】本発明の受光装置を用いた赤外線リモコン受信機の要部を示すブロック図である。
【図４】（ａ）および（ｂ）は、本発明の受光装置を用いた赤外線リモコン受信機を示すものであり、（ａ）は側面図、（ｂ）は正面図である。
【図５】本発明に係る受光装置による分光感度特性を示す図である。
【図６】本発明に係る受光装置による分光感度特性を示す図である。
【図７】本発明に係る光学薄膜を示す図である。
【図８】本発明に係る光学薄膜を示す図である。
【図９】本発明に係る分割ＰＤを示す平面図である。
【図１０】（ａ）および（ｂ）は、本発明の分割ＰＤで受光した様子を示す図であり、（ａ）はレンズによるスポットがずれていない場合、（ｂ）はレンズによるスポットがずれている場合の図である。
【図１１】分割ＰＤを用いた本発明に係る受光装置の一構成例を示す回路図である。
【図１２】従来の赤外線リモコン受信機の構成例を示すブロック図である。
【図１３】従来の受光装置の構成例を示す回路図である。
【図１４】従来の受光装置による分光感度特性を示す図である。
【図１５】従来の受光装置の構成例を示すブロック図である。
【図１６】従来の受光装置の構成例を示すブロック図である。
【符号の説明】
【００８４】
１１    受光装置
１２    受光装置
１５    第１アンプ
１６    第２アンプ
１７    第３アンプ
２１    赤外線リモコン受信機（電子機器）
２２    ＰＤ部
２２ａ  ボンディング用パッド
２３    ＩＣ
２４    光学薄膜
２４ａ  第１薄膜
２４ｂ  第２薄膜
２４ｃ  第３薄膜
２５    樹脂パッケージ
２５ａ  レンズ形状部
２６    Ａｕワイヤ
２７    アルミフレーム
３１    受光回路部
４１    ＨＡ
４２    Ｄ＿ＨＡ
４３    ２ｎｄＡｍｐ
４４    ３ｒｄＡｍｐ
４５    ＢＰＦ
４６    ｆｏトリミング回路
４７    ＡＧＣ回路
４８    キャリア検出回路
４９    積分回路
５０    ヒステリシスコンパレータ
５５    レンズのスポット
ＰＤ１、ＰＤ２    受光素子
【図１】
2006148572.tif 000003
【図２】
2006148572.tif 000004
【図３】
2006148572.tif 000005
【図４】
2006148572.tif 000006
【図５】
2006148572.tif 000007
【図６】
2006148572.tif 000008
【図７】
2006148572.tif 000009
【図８】
2006148572.tif 000010
【図９】
2006148572.tif 000011
【図１０】
2006148572.tif 000012
【図１１】
2006148572.tif 000013
【図１２】
2006148572.tif 000014
【図１３】
2006148572.tif 000015
【図１４】
2006148572.tif 000016
【図１５】
2006148572.tif 000017
【図１６】
2006148572.tif 000018